(57)【要約】【課題】ビットエラーを計算することなく受信信号を適切に増幅することが可能な信号処理装置を提供すること。【解決手段】信号処理装置は、異なる複数の増幅度に基づいて受信信号を増幅する増幅手段と、前記複数の増幅度の各々に基づいて増幅された複数の増幅受信信号の各々から所定周波数の物理チャンネル信号を選択する選択手段と、前記複数の増幅受信信号の各々から選択された複数の物理チャンネル信号の品質を検出する品質検出手段と、前記複数の物理チャンネル信号の品質検出結果に応じて増幅度を設定する設定手段と、前記設定増幅度に基づいて増幅された調整受信信号から、指定された物理チャンネル信号を選択して出力する出力制御手段と、を備えている。【選択図】図１
2011166296.tif 000002
【特許請求の範囲】
【請求項１】
異なる複数の増幅度に基づいて受信信号を増幅する増幅手段と、
前記複数の増幅度の各々に基づいて増幅された複数の増幅受信信号の各々から所定周波数の物理チャンネル信号を選択する選択手段と、
前記複数の増幅受信信号の各々から選択された複数の物理チャンネル信号の品質を検出する品質検出手段と、
前記複数の物理チャンネル信号の品質検出結果に応じて増幅度を設定する設定手段と、
前記設定増幅度に基づいて増幅された調整受信信号から、指定された物理チャンネル信号を選択して出力する出力制御手段と、
を備えたことを特徴とする信号処理装置。
【請求項２】
前記選択手段は、前記複数の増幅受信信号の各々から第１の物理チャンネル信号を選択し、
前記品質検出手段は、前記複数の増幅受信信号の各々から選択された複数の第１の物理チャンネル信号の品質を検出し、
前記設定手段は、前記複数の第１の物理チャンネル信号の品質検出結果に応じて第１の増幅度を設定し、
前記出力制御手段は、前記第１の増幅度に基づいて増幅された第１の調整受信信号から、指定された前記第１の物理チャンネル信号又は第２の物理チャンネル信号を選択して出力する、
ことを特徴とする請求項１に記載の信号処理装置。
【請求項３】
前記選択手段は、前記複数の増幅受信信号の各々から第１及び第２の物理チャンネル信号を選択し、
前記品質検出手段は、前記複数の増幅受信信号の各々から選択された複数の第１の物理チャンネル信号の品質を検出し、また、前記複数の増幅受信信号の各々から選択された複数の第２の物理チャンネル信号の品質を検出し、
前記設定手段は、前記複数の第１の物理チャンネル信号の品質検出結果に応じて第１の増幅度を設定し、また、前記複数の第２の物理チャンネル信号の品質検出結果に応じて第２の増幅度を設定し、
前記出力制御手段は、前記第１の増幅度に基づいて増幅された第１の調整受信信号から、指定された前記第１の物理チャンネル信号を選択して出力し、また、前記第２の増幅度に基づいて増幅された第２の調整受信信号から、指定された前記第２の物理チャンネル信号を選択して出力する、
ことを特徴とする請求項１に記載の信号処理装置。
【請求項４】
前記品質検出手段は、前記複数の物理チャンネル信号の搬送波と雑音の比を示す品質値に基づき、前記複数の物理チャンネル信号の品質を検出し、
前記設定手段は、前記複数の増幅度の中から、前記品質値が最も大きくなる増幅度を選択し設定する、
ことを特徴とする請求項１に記載の信号処理装置。
【請求項５】
増幅受信信号から所定品質以上の前記第１及び前記第２の物理チャンネル信号を検出し、第１のチャンネル番号に対して前記第１の物理チャンネル信号の選択を登録し、第２のチャンネル番号に対して前記第２の物理チャンネル信号の選択を登録する登録手段を備え、
前記出力制御手段は、前記第１の調整受信信号から、指定された前記第１又は第２のチャンネル番号に対応した前記第１又は第２の物理チャンネル信号を選択して出力する、
ことを特徴とする請求項２に記載の信号処理装置。
【請求項６】
前記設定手段は、前記第２の物理チャンネル信号に対して、入力操作に対応して指定された指定増幅度を設定し、
前記出力制御手段は、前記第１の調整受信信号から、指定された前記第１のチャンネル番号に対応した前記第１の物理チャンネル信号を選択して出力し、また、前記指定増幅度に基づき増幅された第２の調整受信信号から、指定された前記第２のチャンネル番号に対応した前記第２の物理チャンネル信号を選択して出力する、
ことを特徴とする請求項５に記載の信号処理装置。
【請求項７】
前記登録手段が、前記増幅受信信号から前記所定品質以上の前記第１及び前記第２の物理チャンネル信号を再検出し、前記第１及び第２の物理チャンネル信号に対応した前記第１及び第２のチャンネル番号を再登録した場合に、前記設定手段は、前記入力操作に対応して指定された、前記第２の物理チャンネル信号に対する指定増幅度の設定を維持することを特徴とする請求項６に記載の信号処理装置。
【請求項８】
増幅受信信号から所定品質以上の前記第１及び前記第２の物理チャンネル信号を検出し、前記第１及び第２の物理チャンネル信号に対応した第１及び第２のチャンネル番号を登録する登録手段を備え、
前記出力制御手段は、前記第１の調整受信信号から、指定された前記第１のチャンネル番号に対応した前記第１の物理チャンネル信号を選択して出力し、前記第２の調整受信信号から、指定された前記第２のチャンネル番号に対応した前記第２の物理チャンネル信号を選択して出力する、
ことを特徴とする請求項３に記載の信号処理装置。
【請求項９】
異なる複数の増幅度に基づいて受信信号を増幅し、
前記複数の増幅度の各々に基づいて増幅された複数の増幅受信信号の各々から所定周波数の物理チャンネル信号を選択し、
前記複数の増幅受信信号の各々から選択された複数の物理チャンネル信号の品質を検出し、
前記複数の物理チャンネル信号の品質検出結果に応じて増幅度を設定し、
前記設定増幅度に基づいて増幅された調整受信信号から、指定された物理チャンネル信号を選択して出力する、
ことを特徴とする信号処理方法。
【発明の詳細な説明】
【技術分野】
【０００１】
本発明は、アンテナにより受信された受信信号を増幅して出力する信号処理装置及び信号処理方法に関する。
【背景技術】
【０００２】
放送受信装置は、アンテナにより受信された受信信号を増幅するための増幅器、及び増幅信号から指定された物理チャンネル信号を選択し出力するチューナ等により構成されている。放送受信装置が強電界の受信信号の入力を受けた場合、増幅器の増幅により受信信号に歪が発生し、受信信号の品位を低下させることがある。一方で、放送受信装置が弱電界の受信信号の入力を受けた場合、増幅器により受信信号をそれなりに増幅する必要がある。これらのバランスを考慮して増幅器のゲインが設定されるが、増幅器に対する最適なゲインの設定は難しい。
【０００３】
特に、デジタル放送においては、受信信号の信号レベルが小さくなると、急激にビットエラーが増える特性がある。例えば、ビットエラーに応じて増幅器のゲインを変更する技術が提案されている（特許文献１参照）。
【先行技術文献】
【特許文献】
【０００４】
【特許文献１】特開２００８−１６０３３６号公報
【発明の概要】
【発明が解決しようとする課題】
【０００５】
しかしながら、ビットエラーに応じて増幅器のゲインを変更するためには、ビットエラーを計算する必要がある。つまり、既存の放送受信装置に対してビットエラーを計算するための新規の構成が必要となる。
【０００６】
本発明の目的は、ビットエラーを計算することなく受信信号を適切に増幅することが可能な信号処理装置及び信号処理方法を提供することにある。
【課題を解決するための手段】
【０００７】
本発明の一実施形態に係る信号処理装置は、異なる複数の増幅度に基づいて受信信号を増幅する増幅手段と、前記複数の増幅度の各々に基づいて増幅された複数の増幅受信信号の各々から所定周波数の物理チャンネル信号を選択する選択手段と、前記複数の増幅受信信号の各々から選択された複数の物理チャンネル信号の品質を検出する品質検出手段と、前記複数の物理チャンネル信号の品質検出結果に応じて増幅度を設定する設定手段と、前記設定増幅度に基づいて増幅された調整受信信号から、指定された物理チャンネル信号を選択して出力する出力制御手段と、を備えている。
【０００８】
本発明の一実施形態に係る信号処理方法は、異なる複数の増幅度に基づいて受信信号を増幅し、前記複数の増幅度の各々に基づいて増幅された複数の増幅受信信号の各々から所定周波数の物理チャンネル信号を選択し、前記複数の増幅受信信号の各々から選択された複数の物理チャンネル信号の品質を検出し、前記複数の物理チャンネル信号の品質検出結果に応じて増幅度を設定し、前記設定増幅度に基づいて増幅された調整受信信号から、指定された物理チャンネル信号を選択して出力する。
【発明の効果】
【０００９】
本発明によれば、ビットエラーを計算することなく受信信号を適切に増幅することが可能な信号処理装置及び信号処理方法を提供できる。
【図面の簡単な説明】
【００１０】
【図１】チューナ部の構成の一例を示すブロック図である。
【図２】増幅度、ＲＦ入力電界、及びアンテナレベルの関係を示す図である。
【図３】アンテナレベル設定画面の一例を示す図である。
【図４】アンテナレベルテーブルの一例を示す図である。
【図５】アンテナレベルテーブルの一例を示す図である。
【図６】アンテナレベルテーブルの一例を示す図である。
【図７】増幅度制御の一例を説明するためのフローチャートである。
【図８】本発明の一実施形態に係る映像記録再生装置の概略構成の一例を示すブロック図である。
【発明を実施するための形態】
【００１１】
以下、図面を参照し、本発明の実施形態について説明する。
【００１２】
図８は、本発明の一実施形態に係る映像記録再生装置（信号処理装置）の概略構成を示すブロック図である。なお、以下説明する信号処理は、デジタルビデオレコーダ（ＤＶＲ）等の映像記録再生装置への適用だけに限定されるものではなく、デジタルＴＶ（ＤＴＶ）等の映像再生装置にも適用できる。
【００１３】
図８に示すように、映像記録再生装置１は、ユーザ操作入力部１０１、信号受光部１０２、表示部１０３、制御モジュール１０４、チューナ部１０５、メモリ部１０６、ＯＳＤ制御モジュール１０７、信号処理モジュール１０８、合成処理モジュール１０９、ディスクドライブ部１１１、ハードディスクドライブ部１１２を備えている。
【００１４】
さらに、制御モジュール１０４は、チャンネルスキャン制御モジュール１０４１、増幅度切換制御モジュール１０４２、アンテナレベル検出及び記憶制御モジュール１０４３、アンテナレベル比較及び設定モード記憶制御モジュール１０４４、アンテナレベル設定画面生成モジュール１０４５を備えている。
【００１５】
チューナ部１０５は、アンテナ３により受信された受信信号から指定された物理チャンネル信号を選択し、選択した物理チャンネル信号を信号処理モジュール１０８へ入力する。録画処理が指定されている場合には、信号処理モジュール１０８は、物理チャンネル信号から映像信号及び音声信号を生成し、ディスクドライブ部１１１又はハードディスクドライブ部１１２へ入力する。ディスクドライブ部１１１は、入力された映像信号及び音声信号を光ディスクへ記録する。或いは、ハードディスクドライブ部１１２は、入力された映像信号及び音声信号をハードディスクへ記録する。再生処理が指定されている場合には、信号処理モジュール１０８は、物理チャンネル信号から生成された映像信号及び音声信号を、合成処理モジュール１０９を介して、映像表示装置２（スピーカ有り）へ出力する。
【００１６】
次に、図１を参照して、受信信号処理の詳細について説明する。図１は、チューナ部１０５の構成の一例を示すブロック図である。図１に示すように、チューナ部１０５は、増幅器１０５１、分配器１０５２、チューナ回路１０５３、デジタル復調モジュール１０５４を備えている。
【００１７】
増幅器１０５１は、設定された増幅度（ゲイン）に基づきアンテナ３で受信された高周波（ＲＦ）信号を増幅する。分配器１０５２は、増幅器１０５１により増幅されたＲＦ信号を例えば２分配する。なお、分配器１０５２は、ＲＦ信号を３つ以上に分配する分配器であってもよい。チューナ回路１０５３は、分配器１０５２からのＲＦ信号から、指定された物理チャンネル信号を選択し、Intermediate Frequency（ＩＦ）信号へ変換して出力する。デジタル復調モジュール１０５４は、Ａ／Ｄ変換モジュール、ＯＦＤＭ復調モジュール、Ｃ／Ｎ検出モジュール１０５４ａなどを備え、チューナ回路１０５３から出力されたＩＦ信号を復調してTransport Stream（ＴＳ）信号を出力する。そして、信号処理モジュール１０８が、デジタル復調モジュール１０５４からのＴＳ信号をデコードする。
【００１８】
上記したＣ／Ｎ検出モジュール１０５５ａは、物理チャンネル信号（ＩＦ信号）の搬送波（Carrier）と雑音（Noise）の比（Ｃ／Ｎ）を検出する。換言すれば、Ｃ／Ｎ検出モジュール１０５５は、チューナ回路１０５３から出力された物理チャンネル信号の品質を検出する。Ｃ／Ｎ検出結果（Ｃ／Ｎ値）は、制御モジュール１０４へ通知される。
【００１９】
例えば、制御モジュール１０４の設定モード記憶制御モジュール１０４４には、異なる複数の増幅度に基づいて増幅された複数の物理チャンネル信号に対応した複数のＣ／Ｎ検出結果が集められる。例えば、設定モード記憶制御モジュール１０４４には、第１の増幅度に基づいて増幅された第１の物理チャンネル信号（第１の周波数の物理チャンネル信号）の第１のＣ／Ｎ検出結果、及び第１の増幅度より小さい第２の増幅度に基づいて増幅された第１の物理チャンネル信号（第１の周波数の物理チャンネル信号）の第２のＣ／Ｎ検出結果が集められる。
【００２０】
設定モード記憶制御モジュール１０４４は、同一の第１の物理チャンネル信号から得られた異なる第１及び第２のＣ／Ｎ検出結果を比較し、比較結果に応じて、増幅器制御線を介して、増幅器１０５１に対して第１の増幅度又は第２の増幅度を設定したり、或いは増幅器１０５１に対して第３の増幅度を設定したりする。例えば、設定モード記憶制御モジュール１０４４は、第１のＣ／Ｎ値が第２のＣ／Ｎ値より高い場合には（第１のＣ／Ｎ検出結果が第２のＣ／Ｎ検出結果より良好な場合には）、第１のＣ／Ｎ検出結果に対応した第１の増幅度を増幅器１０５１に対して設定する。また、設定モード記憶制御モジュール１０４４は、第２のＣ／Ｎ値が第１のＣ／Ｎ値より高い場合には（第２のＣ／Ｎ検出結果が第１のＣ／Ｎ検出結果より良好な場合には）、第２のＣ／Ｎ検出結果に対応した第２の増幅度を増幅器１０５１に対して設定する。
【００２１】
或いは、設定モード記憶制御モジュール１０４４は、第１のＣ／Ｎ値と第２のＣ／Ｎ値との関係から、第１及び第２の増幅度より、第３の増幅度が適すると判断した場合には、第３の増幅度を増幅器１０５１に対して設定する。例えば、第３の増幅度は、第１の増幅度と第２の増幅度の間の値であるとする（第１の増幅度＞第３の増幅度＞第２の増幅度）。
【００２２】
以下、図７を参照して、増幅度制御の一例についてさらに詳しく説明する。図７は、増幅度制御の一例を説明するためのフローチャートである。
【００２３】
例えば、映像記録再生装置１のユーザ操作入力部１０１又はリモートコントローラ１０２ａを介してチャンネルスキャンが指示されると、チャンネルスキャン制御モジュール１０４１は、チャンネルスキャンの実行を制御する（ＳＴ１０１）。これにより、例えば、増幅度切換制御モジュール１０４２は、増幅器１０５１に対して第１の増幅度（第１のモード）を設定し、アンテナレベル検出及び記憶制御モジュール１０４３は、チューナ部１０５により受信可能範囲の周波数帯で所定アンテナレベル（所定Ｃ／Ｎ値）以上の物理チャンネル信号を検出し、検出した物理チャンネル信号の放送データに含まれたサービスＩＤを検出する。
【００２４】
例えば、メモリ部１０６には、各サービスＩＤとリモートコントローラ１０２ａに設けられた各チャンネル番号との対応リストが記憶されている。アンテナレベル検出及び記憶制御モジュール１０４３は、対応リストを参照し、検出されたサービスＩＤに対応付けられているチャンネル番号と、検出した物理チャンネル信号とを対応付けて登録する（ＳＴ１０２）（ＳＴ１０３）。アンテナレベル検出及び記憶制御モジュール１０４３は、受信可能範囲の周波数帯で所定アンテナレベル以上の全ての物理チャンネル信号を検出し、これら全ての物理チャンネル信号からサービスＩＤを検出し、上記したように、全ての物理チャンネル信号とチャンネル番号とを対応付けて登録する（ＳＴ１０１〜ＳＴ１０４）。これにより、例えばユーザが所定のチャンネル番号のボタンを押下すると、チューナ部１０５は、この所定のチャンネル番号に対応付けられた所定の物理チャンネル信号を選択し、例えば映像表示装置２には、所定の物理チャンネル信号に対応した映像が表示される。
【００２５】
受信可能範囲の周波数帯におけるチャンネルスキャンが終了すると（ＳＴ１０４、ＹＥＳ）、アンテナレベル比較及び設定モード記憶制御モジュール１０４４は、アンテナレベル設定を実行する（ＳＴ１０６〜ＳＴ１１３）。例えば、増幅度切換制御モジュール１０４２は、増幅器１０５１に対して第１の増幅度（第１のモード）を設定し、アンテナレベル検出及び記憶制御モジュール１０４３は、第１のチャンネル番号（例えばチャンネル１）に対応付けられた第１の物理チャンネル信号の選択を制御し、第１の物理チャンネル信号のアンテナレベル（Ｃ／Ｎ値）を検出し記憶する（ＳＴ１０８）。同様に、アンテナレベル検出及び記憶制御モジュール１０４３は、第２のチャンネル番号（例えばチャンネル３）に対応付けられた第２の物理チャンネル信号の選択を制御し、第２の物理チャンネル信号のアンテナレベル（Ｃ／Ｎ値）を検出し記憶する（ＳＴ１０８）。同様に、アンテナレベル検出及び記憶制御モジュール１０４３は、第３のチャンネル番号（例えばチャンネル４）に対応付けられた第３の物理チャンネル信号の選択を制御し、第３の物理チャンネル信号のアンテナレベル（Ｃ／Ｎ値）を検出し記憶する（ＳＴ１０８）。
【００２６】
このようにして、第１〜第Ｎのチャンネル番号に対応付けられた第１〜第Ｎの物理チャンネル信号のアンテナレベル（Ｃ／Ｎ値）が検出される。つまり、第１の増幅度が設定されたときの第１〜第Ｎの物理チャンネル信号のアンテナレベルが検出される。アンテナレベル検出及び記憶制御モジュール１０４３は、第１の増幅度が設定されたときの第１〜第Ｎの物理チャンネル信号のアンテナレベルをメモリ部１０６のアンテナレベルテーブル（図４参照）に登録する。
【００２７】
続いて、増幅度切換制御モジュール１０４２は、増幅器１０５１に対して第２の増幅度（第２のモード）を設定し、アンテナレベル検出及び記憶制御モジュール１０４３は、第１のチャンネル番号（例えばチャンネル１）に対応付けられた第１の物理チャンネル信号の選択を制御し、第１の物理チャンネル信号のアンテナレベル（Ｃ／Ｎ値）を検出し記憶する（ＳＴ１０９）。同様に、アンテナレベル検出及び記憶制御モジュール１０４３は、第２のチャンネル番号（例えばチャンネル３）に対応付けられた第２の物理チャンネル信号の選択を制御し、第２の物理チャンネル信号のアンテナレベル（Ｃ／Ｎ値）を検出し記憶する（ＳＴ１０９）。同様に、アンテナレベル検出及び記憶制御モジュール１０４３は、第３のチャンネル番号（例えばチャンネル４）に対応付けられた第３の物理チャンネル信号の選択を制御し、第３の物理チャンネル信号のアンテナレベル（Ｃ／Ｎ値）を検出し記憶する（ＳＴ１０９）。
【００２８】
このようにして、第１〜第Ｎのチャンネル番号に対応付けられた第１〜第Ｎの物理チャンネル信号のアンテナレベル（Ｃ／Ｎ値）が検出される。つまり、第２の増幅度が設定されたときの第１〜第Ｎの物理チャンネル信号のアンテナレベルが検出される。アンテナレベル検出及び記憶制御モジュール１０４３は、第２の増幅度が設定されたときの第１〜第Ｎの物理チャンネル信号のアンテナレベルをメモリ部１０６のアンテナレベルテーブル（図４参照）に登録する。
【００２９】
アンテナレベル比較及び設定モード記憶制御モジュール１０４４は、第１の増幅度が設定されたときの第１の物理チャンネル信号（チャンネル１）のアンテナレベル（例えば４４［ｄＢ］）と、第２の増幅度が設定されたときの第１の物理チャンネル信号のアンテナレベル（例えば５０［ｄＢ］）とを比較する（ＳＴ１１０）。アンテナレベル比較及び設定モード記憶制御モジュール１０４４は、第２の増幅度が設定されたときに得られたアンテナレベル（５０［ｄＢ］）が、第１の増幅度が設定されたときに得られたアンテナレベル（４４［ｄＢ］）より高いことから（ＳＴ１１０、ＮＯ）、第１の物理チャンネル信号（チャンネル１）に対して第２の増幅度（第２のモード）を設定する（図４参照）（ＳＴ１１２）。
【００３０】
同様に、アンテナレベル比較及び設定モード記憶制御モジュール１０４４は、第１の増幅度が設定されたときの第２の物理チャンネル信号（チャンネル３）のアンテナレベル（例えば４２［ｄＢ］）と、第２の増幅度が設定されたときの第２の物理チャンネル信号のアンテナレベル（例えば４８［ｄＢ］）とを比較する（ＳＴ１１０）。アンテナレベル比較及び設定モード記憶制御モジュール１０４４は、第２の増幅度が設定されたときに得られたアンテナレベル（４８［ｄＢ］）が、第１の増幅度が設定されたときに得られたアンテナレベル（４２［ｄＢ］）より高いことから（ＳＴ１１０、ＮＯ）、第２の物理チャンネル信号（チャンネル３）に対して第２の増幅度（第２のモード）を設定する（図４参照）（ＳＴ１１２）。
【００３１】
同様に、アンテナレベル比較及び設定モード記憶制御モジュール１０４４は、第１の増幅度が設定されたときの第３の物理チャンネル信号（チャンネル４）のアンテナレベル（例えば５０［ｄＢ］）と、第２の増幅度が設定されたときの第３の物理チャンネル信号のアンテナレベル（例えば４４［ｄＢ］）とを比較する（ＳＴ１１０）。アンテナレベル比較及び設定モード記憶制御モジュール１０４４は、第１の増幅度が設定されたときに得られたアンテナレベル（５０［ｄＢ］）が、第２の増幅度が設定されたときに得られたアンテナレベル（４４［ｄＢ］）より高いことから（ＳＴ１１０、ＹＥＳ）、第３の物理チャンネル信号（チャンネル４）に対して第１の増幅度（第１のモード）を設定する（図４参照）（ＳＴ１１１）。
【００３２】
このようにして、第１〜第Ｎの物理チャンネル信号に対して、最適な増幅度（最適モード）が設定される。つまり、図２に示すように、各物理チャンネル信号に対して有意なモードが設定される。なお、本実施形態では、第１の増幅度が設定されたときに得られたアンテナレベルと、第２の増幅度が設定されたときに得られたアンテナレベルとを比較して、比較結果に応じて第１又は第２の増幅度（第１又は第２のモード）を設定するケースについて説明したが、３つ以上の増幅度を利用して最適な増幅度（最適モード）を設定するようにしてもよい。
【００３３】
続いて、手動で増幅度を設定する手動設定処理について説明する。図４に示すように、各チャンネル番号（各物理チャンネル信号）に対して最適な増幅度が設定された後、ユーザ操作入力部１０１又はリモートコントローラ１０２ａを介して手動増幅度設定が指示されると、アンテナレベル設定画面生成モジュール１０４５は、図３に示すアンテナレベル設定画面を表示するための表示情報を生成し、映像表示装置２に対して表示情報を出力する。これにより、映像表示装置２は、図３に示すアンテナレベル設定画面を表示する。
【００３４】
さらに、ユーザ操作入力部１０１又はリモートコントローラ１０２ａを介して、例えば、アンテナレベル設定画面上でチャンネル１が選択され、第１のモード（モード１）が選択されると、アンテナレベル比較及び設定モード記憶制御モジュール１０４４は、チャンネル１（第１の物理チャンネル信号）に対して第１のモード（モード１）を設定する。また、ユーザ操作入力部１０１又はリモートコントローラ１０２ａを介して、例えば、アンテナレベル設定画面上でチャンネル３が選択され、第１のモード（モード１）が選択されると、アンテナレベル比較及び設定モード記憶制御モジュール１０４４は、チャンネル３（第２の物理チャンネル信号）に対して第１のモード（モード１）を設定する。
【００３５】
このようにして、自動で増幅度が設定された後、手動で増幅度を再設定（変更）することができる。この後、さらに、ユーザ操作入力部１０１又はリモートコントローラ１０２ａを介してチャンネルスキャンが指示されたり、自動増幅度設定が指示されたりした場合、アンテナレベル比較及び設定モード記憶制御モジュール１０４４は、チャンネル１（第１の物理チャンネル信号）に対して手動で設定された第１のモード（モード１）を変更することなく維持し、またチャンネル３（第２の物理チャンネル信号）に対して手動で設定された第１のモード（モード１）を変更することなく維持し、これらチャンネル１、３以外のチャンネルに対して、自動で増幅度を設定する。つまり、アンテナレベル比較及び設定モード記憶制御モジュール１０４４は、これらチャンネル１、３以外のチャンネルに対する増幅度の最適化を図る。これにより、ユーザによる増幅度の設定（ユーザの意思）が尊重される。
【００３６】
例えば、チャンネルスキャンにより各チャンネル番号に対して各物理チャンネル信号が割り当てられたとする。その後、新たに放送局が開局された場合に、再度、チャンネルスキャンが実行される。これにより、新たに開局された放送局からの所定の物理チャンネル信号が所定のチャンネル番号に対して割り当てられる。
【００３７】
このようにしてチャンネルスキャンが再度実行された場合であって、手動で増幅度が設定されていなければ、検出された各物理チャンネル信号に対して自動で最適な増幅度が設定される。チャンネルスキャンが再度実行された場合であって、所定の物理チャンネル信号に対して手動で増幅度が設定されていれば、所定の物理チャンネル信号を除いて、検出された各物理チャンネル信号に対して自動で最適な増幅度が設定される。
【００３８】
上記したように、映像記録再生装置は、チャンネルスキャン時に検出された全ての物理チャンネルに対して最適な増幅度を設定し記憶することができ、これにより、例えば第１の物理チャンネルが選択された場合には、瞬時に、この第１の物理チャンネルに対して設定された増幅度を設定することができ、この増幅度に基づき増幅された良好な信号から映像及び音声を再生することができる。また、第２の物理チャンネルが選択された場合にも、瞬時に、この第２の物理チャンネルに対して設定された増幅度を設定することができ、この増幅度に基づき増幅された良好な信号から映像及び音声を再生することができる。このように、チャンネルスキャン時に最適な増幅度が設定され記憶されるため、実際のチャンネル選択時には瞬時に最適な増幅度を設定することができる。
【００３９】
また、チャンネルスキャンが再度実行された場合、所定の物理チャンネル信号に対して手動で増幅度が設定されていれば、所定の物理チャンネルに対する手動の増幅度設定が維持される。つまり、チャンネルスキャンが再度実行された場合でも、ユーザによる手動設定はキャンセルされない。これにより、チャンネルスキャンが再度実行された後で、ユーザによる手動設定を再度行わずに済む。
【００４０】
上記説明では、映像記録再生装置が、検出された全ての物理チャンネルに対して自動で増幅度を設定するケースについて説明したが、本発明はこれに限定されるものではない。例えば、映像記録再生装置が、検出された全ての物理チャンネルのうちの、所定の物理チャンネルに対して自動で最適な増幅度を設定し、他の物理チャンネルについては所定の物理チャンネルに対して自動で設定した最適な増幅度を適用することもできる。これにより、より高速に増幅度の設定を完了することができる。
【００４１】
即ち、図５に示すように、映像記録再生装置が、検出された全ての物理チャンネルのうちの、例えばチャンネル１に対応した物理チャンネルに対して自動で最適な第２のモードを設定し、他の物理チャンネルについては、チャンネル１に対応した物理チャンネルに対して自動で設定した第２のモードを適用する。
【００４２】
さらに、その後、図６に示すように、チャンネル４に対応した物理チャンネルに対して設定された第２のモードが手動で第１のモードに変更され、チャンネル５に対応した物理チャンネルに対して設定された第２のモードが手動で第１のモードに変更され、チャンネル６に対応した物理チャンネルに対して設定された第２のモードが手動で第１のモードに変更され、チャンネル８に対応した物理チャンネルに対して設定された第２のモードが手動で第１のモードに変更され、映像記録再生装置が、これら変更を記憶したとする。
【００４３】
さらに、その後、映像記録再生装置がチャンネルスキャンを実行した場合、例えばチャンネル１に対応した物理チャンネルに対して自動で最適な第２のモードを設定し、チャンネル３、７に対応した物理チャンネルについては自動で設定した第２のモードを適用するが、チャンネル４、５、６、８に対応した物理チャンネルについては手動設定を維持する。
【００４４】
なお、本実施形態では、物理チャンネル信号の品質検出結果に基づき、この物理チャンネル信号の品質が良好となるように、一つの増幅器１０５１に対して複数の増幅度（例えば第１及び第２の増幅度）の中から選択された増幅度（例えば第１又は第２の増幅度）を設定するケースについて説明した。しかしながら、本発明はこれだけに限定されるものではない。例えば、映像記録再生装置１が、増幅度の異なる複数の増幅器を備え、物理チャンネル信号の品質検出結果に基づき、この物理チャンネル信号の品質が良好となるように、所定の増幅器の出力を選択するようにしてもよい。
【００４５】
なお、上記したモジュールとは、ハードウェアで実現するものであっても良いし、ＣＰＵ等を使ってソフトウェアで実現するものであってもよい。
【００４６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４７】
１…映像記録再生装置、２…モニター、１０１…ユーザ操作入力部、１０２…信号受光部、１０３…表示部、１０４…制御モジュール、１０５…チューナ部、１０５１…増幅器、１０５２…分配器、１０５３…チューナ回路、１０５４…デジタル復調モジュール、１０６…メモリ部、１０７…ＯＳＤ制御モジュール、１０８…信号処理モジュール、１０９…合成処理モジュール、１１１…ディスクドライブ部、１１２…ハードディスクドライブ部、１０４１…チャンネルスキャン制御モジュール、１０４２…増幅度切換制御モジュール、１０４３…アンテナレベル検出及び記憶制御モジュール、１０４４…アンテナレベル比較及び設定モード記憶制御モジュール、１０４５…アンテナレベル設定画面生成モジュール
【図１】
2011166296.tif 000003
【図２】
2011166296.tif 000004
【図３】
2011166296.tif 000005
【図４】
2011166296.tif 000006
【図５】
2011166296.tif 000007
【図６】
2011166296.tif 000008
【図７】
2011166296.tif 000009
【図８】
2011166296.tif 000010